(57)【要約】【課題】  放電セルの大きさが小さくなることによって引き起こされる放電特性の不利益を克服するために一対の表示電極相互間に発生する維持放電を対向放電として発生させられる放電セル構造を有するプラズマディスプレイパネルを提供する【解決手段】  本発明の一実施例によるプラズマディスプレイパネルは、互いに対向配置される第１基板及び第２基板と、前記第１基板と第２基板の間空間に配置され複数の放電セルを区画する隔壁と、前記第２基板に一方向に沿って並べて形成されるアドレス電極と、前記第２基板に前記アドレス電極と離隔し、このアドレス電極と交差する方向に沿って長く連結されながら各放電セルに対応する第１電極と第２電極、及び前記各放電セル内に形成される蛍光体層を含む。この時、前記第１電極と第２電極は前記第２基板から遠くなる方向に前記第１基板に向き突出され、その間に空間をおいて互いに対向するように形成される。【選択図】  図１
2005347250.tif 000002
【特許請求の範囲】
【請求項１】
互いに対向配置された第１基板及び第２基板と；
前記第１基板と第２基板との間の空間に配置され複数の放電セルを区画する隔壁と；
前記第２基板で一つの方向に沿って並んで形成されるアドレス電極と；
前記第２基板に前記アドレス電極から離隔し、このアドレス電極と交差する方向に沿って長く連結されながら放電セル各々に対応する第１電極及び第２電極と；
前記各放電セル内に形成される蛍光体層と；を含み、
前記第１電極と第２電極とは前記第２基板から遠くなる方向へ前記第１基板に向けて突出し、その間に空間をおいて互いに対向するように形成されることを特徴とするプラズマディスプレイパネル。
【請求項２】
前記第１電極及び第２電極は前記アドレス電極と互いに異なる層に形成されることを特徴とする請求項１に記載のプラズマディスプレイパネル。
【請求項３】
前記第１電極及び第２電極を長さ方向に垂直な平面で切断した断面は前記基板に平行な方向の長さよりも前記基板に垂直な方向の長さがさらに長く形成されることを特徴とする請求項１に記載のプラズマディスプレイパネル。
【請求項４】
前記第１電極及び第２電極は金属電極に作られたことを特徴とする請求項１に記載のプラズマディスプレイパネル。
【請求項５】
前記第２基板において前記アドレス電極を覆うように第１誘電層が形成され、この第１誘電層上に前記第１電極及び第２電極が形成され、この第１電極及び第２電極を各々めぐるように第２誘電層が形成されることを特徴とする請求項１に記載のプラズマディスプレイパネル。
【請求項６】
前記第１電極と第２電極とが対向する面に形成された第２誘電層の厚さよりも前記第１電極及び第２電極が前記第１基板に向いた面に形成された第２誘電層の厚さがさらに厚いことを特徴とする請求項５に記載のプラズマディスプレイパネル。
【請求項７】
前記アドレス電極は、
前記放電セルの一つの側周縁に連なって長く連結されるバス電極と、
前記バス電極から対向側周縁へ向けて伸びる突出電極と、
を含むことを特徴とする請求項１に記載のプラズマディスプレイパネル。
【請求項８】
前記バス電極は金属電極に作られたことを特徴とする請求項７に記載のプラズマディスプレイパネル。
【請求項９】
前記突出電極は透明電極に作られたことを特徴とする請求項７に記載のプラズマディスプレイパネル。
【請求項１０】
前記突出電極は長方形状に作られたことを特徴とする請求項７に記載のプラズマディスプレイパネル。
【請求項１１】
前記突出電極は端部に凹部を有することを特徴とする請求項７に記載のプラズマディスプレイパネル。
【請求項１２】
前記凹部は少なくとも１以上の角部を有することを特徴とする請求項１１に記載のプラズマディスプレイパネル。
【請求項１３】
前記凹部は弧状に作られたことを特徴とする請求項１１に記載のプラズマディスプレイパネル。
【請求項１４】
前記突出電極は前記第１電極に近い部分の面積よりも前記第２電極に近い部分の面積がさらに大きく形成されることを特徴とする請求項７に記載のプラズマディスプレイパネル。
【請求項１５】
前記突出電極は前記第１電極側から前記第２電極側に進行することによって漸進的に面積が広くなることを特徴とする請求項１４に記載のプラズマディスプレイパネル。
【請求項１６】
前記突出電極は前記第２電極側に偏って配置されることを特徴とする請求項７に記載のプラズマディスプレイパネル。
【発明の詳細な説明】
【技術分野】
【０００１】
本発明は、プラズマディスプレイパネルに関し、特に、小形放電セルを用いる高精細ディスプレイ実現に有利な放電セル構造を有するプラズマディスプレイパネルに関する。
【背景技術】
【０００２】
一般に、プラズマディスプレイパネル（ＰＤＰ）は気体放電で得られたプラズマから放射された真空紫外線が蛍光体を励起させることによって発生する可視光を利用し映像を実現するディスプレイ素子である。このようなプラズマディスプレイパネルは６０インチ以上の超大型画面を僅か１０cm以内の厚さで実現でき、ＣＲＴのような自発光ディスプレイ素子であるので色再現力が優れていて視野角による歪曲現象がない特性を有する。また、プラズマディスプレイパネルはＬＣＤなどに比べて製造工法が単純であり生産性及び原価側面でもメリットを有するので次世代産業用平板ディスプレイ及び家庭用ＴＶディスプレイとして脚光を浴びている。
【０００３】
プラズマディスプレイパネルの構造は、１９７０年代から長い期間をかけて発展してきたが、現在一般的に知られている構造は３電極面放電型構造である。３電極面放電型構造は、同一面上に位置した二つの電極線を含んだ一つの基板と、これから一定の距離をおいて離隔し上記二つの電極線と直角方向に形成されるアドレス電極線を備えた他の基板とで構成され、その間に放電ガスが封入された構造である。一般に放電の有無は、電極線各々に連結され独立的に制御される走査電極と、この走査電極に対向しているアドレス電極との放電によって決定され、輝度を表示する維持放電は同一面上に位置した二つの電極群によって行われる。
【０００４】
図１０は、従来の３電極面放電型構造を有する交流型プラズマディスプレイパネルの構造を示し、背面基板１１２上に一つの方向に沿ってアドレス電極線１１５が形成され、このアドレス電極線１１５を覆いながら背面基板１１２の上面に誘電層１２０が形成される。この誘電層１２０上に帯状の隔壁１１７が形成され放電セル１１９が区画されるが、縦隔壁形成だけでも動作するため製造工程が単純化でき、排気工程時有利な帯状隔壁構造を有するものと、縦隔壁及び横隔壁が格子形に形成され放電効率及び輝度などを向上させたマトリックス型隔壁構造を有するものなどの例がある。これら隔壁１１７によって形成される放電セル１１９内には各々赤（Ｒ）、緑（Ｇ）または青（Ｂ）色の蛍光体層１１８が形成される。
【０００５】
そして背面基板１１２に対向する前面基板１１１の一つの面には、アドレス電極線１１５と交差する方向に沿って一対の透明電極１１３ａ、１１４ａとバス電極１１３ｂ、１１４ｂとで構成された表示電極線１１３、１１４が形成され、この表示電極１１３、１１４を覆いながら前面基板１１１の一つの面全体に誘電層１２１とＭｇＯ保護膜１２３とが順次に形成される。
【０００６】
前記背面基板１１２上のアドレス電極線１１５と、前面基板１１１上の一対の表示電極線１１３、１１４とが交差する地点が放電セル１１９と対応する。
【０００７】
最近、市場に出ているプラズマディスプレイパネルは４２インチ級からＸＧＡ１０２４×７６８級の解像度を有するが、窮極的にはＦｕｌｌ-ＨＤ級の画像を表現できるディスプレイ素子が要求されている実情である。プラズマディスプレイパネルでＦｕｌｌ-ＨＤ級１９２０×１０８０の画像を表現するためには放電セルの大きさを小さくすること、つまり、高精細放電セルを作ることが必要である。
【０００８】
従来型の３電極面放電型構造を有するプラズマディスプレイパネルでは、放電セル寸法の減少は、つまり、電極長さ及び電極面積の減少、発光領域の減少を意味する。これは結果的にプラズマディスプレイパネルの輝度及び効率の減少と共に放電開始電圧の上昇という問題をもたらす。したがって、プラズマディスプレイパネルが高精細になっていくことによって、アドレス操作は対向放電利用、維持放電操作は面放電利用と、操作内容により異なる構造が必要と考えられている。
【０００９】
なお、上記の説明で電極線という用語を用いたが、以下では、形状とは無関係に全て電極と記す。
【発明の開示】
【発明が解決しようとする課題】
【００１０】
本発明の目的は、放電セルの大きさが小さくなることによって引き起こされる放電特性の不利益を克服するために、一対の表示電極相互間に発生する維持放電を対向放電に誘導できる放電セル構造を有するプラズマディスプレイパネルを提供することにある。
【課題を解決するための手段】
【００１１】
上記の目的を達成するために本発明によるプラズマディスプレイパネルは、互いに対向配置される第１基板及び第２基板と、前記第１基板と第２基板の間との空間に配置され複数の放電セルを区画する隔壁と、前記第２基板に一つの方向に沿って並んで形成されるアドレス電極と、前記第２基板に前記アドレス電極と離隔し、このアドレス電極と交差する方向に沿って長く連結されながら各放電セルに対応する第１電極及び第２電極と、前記各放電セル内に形成される蛍光体層と、を含む。この時、前記第１電極と第２電極とは前記第２基板から遠くなる方向に前記第１基板に向けて突出され、その間に空間をおいて互いに対向するように形成される。
【００１２】
前記第１電極及び第２電極は前記アドレス電極と互いに異なる層に形成されることが好ましい。
【００１３】
前記第１電極及び第２電極を長さ方向に垂直な平面に切断した断面は前記基板に平行な方向の長さよりも前記基板に垂直な方向の長さがさらに長く形成でき、これらの第１電極及び第２電極は金属電極に作られるものが好ましい。
【００１４】
前記第２基板で前記アドレス電極を覆うように第１誘電層が形成され、この第１誘電層上に前記第１電極及び第２電極が形成され、この第１電極及び第２電極を各々めぐるように第２誘電層が形成される。
【００１５】
前記第１電極と第２電極とが対向する面に形成された第２誘電層の厚さよりも前記第１電極及び第２電極が前記第１基板に向いた面に形成された第２誘電層の厚さがさらに厚いものが好ましい。
【００１６】
前記アドレス電極は、前記放電セルの一つの側の周縁に連なって長く連結されるバス電極と、前記バス電極から対向側周縁を向き、伸びる突出電極と、を含む。この時、前記バス電極は金属電極に作られ、前記突出電極は透明電極に作られるものが好ましい。
【００１７】
前記突出電極は長方形状に形成されることができ、端部に凹部を有することができる。この凹部は少なくとも一つ以上の角部を有するように形成されるか、、又は弧状に形成されることができる。
【００１８】
前記突出電極は前記第１電極に近い部分の面積よりも前記第２電極に近い部分の面積がさらに大きく形成でき、前記第１電極側から前記第２電極側に進行することによって漸進的に面積が広がるように形成できる。
【００１９】
前記突出電極は前記第２電極側に偏って配置できる。
【発明の効果】
【００２０】
本発明によるプラズマディスプレイパネルによれば、アドレス電極を前面基板に配置することによって背面基板に形成された隔壁によって設定される放電空間がさらに大きく確保できる。これは即ち、蛍光体が塗布された部分の面積が広がることによって発光効率が増加できることを意味する。それだけでなく蛍光体上に電荷が積もりながらイオンスパッタリングなどにより蛍光体の寿命が減少することが防止できる。
【００２１】
また、アドレス放電に関与する走査電極とアドレス電極とを近くに配置させることによってアドレス電圧を低くすることができ、維持電極と走査電極との間では対向放電を誘導することによって発光効率に優れたものとして知られたロングギャップ放電が可能であるので、従来の面放電構造に比べてさらに高い発光効率が得られる。
【００２２】
その上に、プラズマディスプレイパネルが高精細化され放電セルの寸法が小さくなるにつれて従来の面放電構造で引き起こされる主要な問題など、即ち発光効率及び輝度の減少、放電開始電圧増加などの問題が共に克服できる。
【発明を実施するための最良の形態】
【００２３】
以下、添付した図面を参照にし、本発明の実施例について本発明の属する技術分野における通常の知識を有する者が容易に実施できるように詳細に説明する。しかし、本発明は様々相異な形態に実現でき、ここで説明する実施例に限定されない。図面で本発明を明確に説明するために説明上不必要な部分は省略し、明細書全体にわたって同一、又は類似な構成要素については同一な参照符号を付けた。
【００２４】
図１は本発明の第１実施例によるプラズマディスプレイパネルを示した部分分解斜視図であり、図２は電極及び放電セルの構造を概略的に示した部分平面図である。そして図３は図１に分解して示したプラズマディスプレイパネルを組立て結合し、Ａ-Ａ線に沿って切断した部分分解断面図である。
【００２５】
示したように、本実施例によるプラズマディスプレイパネルは基本的に第１基板１０（以下、「背面基板」とする）と第２基板２０（以下、「前面基板」とする）とが所定の間隔をおいて互いに対向配置され、両基板１０、２０の間空間には複数の放電セル１８が隔壁１６によって区画される。放電セル１８内には紫外線を吸収し可視光を放出する蛍光体層１９が隔壁面と底面とに沿って形成され、プラズマ放電が起きるように放電ガス（一例としてＸｅｎｏｎ（Ｘｅ）、ネオン（Ｎｅ）などを含む混合ガス）が満ちる。
【００２６】
前面基板２０の背面基板１０対向面には一つの方向（図面のｙ軸方向）に沿ってアドレス電極３２が並んで形成され、これらのアドレス電極３２を覆いながら前面基板２０の内側面全体に誘電層２８が形成される。アドレス電極３２は隣接したもの相互間所定の間隔を維持しながら互いに並んで形成される。
【００２７】
アドレス電極３２上にはこれらと離隔し表示電極２５が形成されるが、これら表示電極２５はアドレス電極３２と誘電層２８を間に置いて離隔することによって電気的に区分されるように形成される。
【００２８】
背面基板１０上には誘電層１４が形成され、隔壁１６は前記誘電層１４上に形成されるが、本実施例で隔壁１６はアドレス電極３２と並んだ方向に長く連結される第１隔壁部材１６ａと、この第１隔壁部材１６ａと交差するように形成されながら、各々の放電セル１８を独立的な放電空間に区画する第２隔壁部材１６ｂと、で構成される。このような隔壁構造は前記説明した構造に限定されず、アドレス電極と並んだ隔壁部材のみに作られる帯状型隔壁構造も本発明に適用でき、放電セルを区画する多様な形状の隔壁構造も可能であり、これもまた本発明の範囲に属する。
【００２９】
また、他の例として背面基板１０上に誘電層が形成されず、そのまま隔壁１６が形成されることもできる。
【００３０】
図２を参照すれば、表示電極２５は各放電セル１８に対応する第１電極２１（以下、「維持電極」とする）と第２電極２３（以下、「走査電極」とする）とを含み、これらの維持電極２１及び走査電極２３はアドレス電極３２と交差する方向（図面のｘ軸方向）に沿って各々長く連結され形成される。このような表示電極２５のうち維持電極２１は主に維持期間の放電に必要な電圧を印加するための電極の役割を果たし、走査電極２３はリセット期間、アドレス期間及び維持期間に各々必要な電圧を印加するための電極の役割を果たす。したがって、走査電極２３はリセット期間、アドレス期間及び維持期間の放電に全部関与し、維持電極２１は主に維持期間の放電に関与する。しかし、各電極に印加される放電電圧によってその役割を異ならせることができるのでこれに限定される必要はない。
【００３１】
本実施例でアドレス電極３２は放電セル１８の一つの側周縁に連なって長く連結されるバス電極３２ｂとこのバス電極３２ｂから対向側周縁を向き、伸びる突出電極３２ａとを含む。この時、突出電極３２ａはパネルの開口率確保のために透明電極、一例としてＩＴＯ（Ｉｎｄｉｕｍ  Ｔｉｎ  Ｏｘｉｄｅ）電極で形成でき、バス電極３２ｂは前記透明電極の高い抵抗を補償し通電性を良くするために金属電極に形成することが好ましい。本実施例によるプラズマディスプレイパネルで突出電極３２ａは長方形状の平面形状を有する。
【００３２】
図３を参照すれば、本実施例によるプラズマディスプレイパネルにおいて、維持電極２１と走査電極２３とは、前面基板２０から遠くなる方向（図面の逆ｚ軸方向）へ、前記背面基板１０に向かって突出し、その間に空間をおいて互いに対向するように形成される。このように形成される空間は、互いに対向する維持電極２１と走査電極２３との間において対向放電を先ず発生させられる。
【００３３】
また、維持電極２１と走査電極２３とを各々その長さ方向に垂直な平面に切断した断面は基板１０、２０面に平行な方向（図面のｙ軸方向）の長さｗ１よりも基板１０、２０面に垂直な方向（図面のｚ軸方向）の長さｗ２がさらに長く形成できる。言い換えると、維持電極２１と走査電極２３との前面基板２０面からの高さがさらに高く形成できる。このように維持電極２１及び走査電極２３の高さを高めることによって、高精細ディスプレイを実現するために放電セルの平面方向大きさが減少するべき場合にもその大きさの減少量が補償できる。
【００３４】
本実施例で維持電極２１及び走査電極２３はアドレス電極３２が形成される層と互いに異なる層に形成され、同時に電気的に分離されている。このために誘電層２８は第１誘電層２８ａと第２誘電層２８ｂとに区分される。つまり、第１誘電層２８ａは前面基板２０でアドレス電極３２上にこれらを覆うように形成され、この第１誘電層２８ａ上に維持電極２１及び走査電極２３を含む表示電極２５が形成され、これらの表示電極２５各々をめぐるように第２誘電層２８ｂが形成される。
【００３５】
この時、第１誘電層２８ａと第２誘電層２８ｂとは互いに同じ物質に形成できる。そして維持電極２１と走査電極２３とは金属電極に形成することが好ましい。
【００３６】
維持電極２１及び走査電極２３を各々めぐるように第２誘電層２８ｂを形成する時、図３のように、維持電極２１と走査電極２３とが対向する面に形成された第２誘電層２８ｂの厚さｄ１よりも維持電極２１及び走査電極２３が背面基板１０に向いた面に形成された第２誘電層２８ｂの厚さｄ２がさらに厚く形成される。このような構造を通して維持放電時隣接した放電セルに位置した電極との間で誤放電が発生することが防止できる。
【００３７】
第１誘電層２８ａ及び第２誘電層２８ｂ上にはＭｇＯ保護膜２９が形成され、プラズマ放電時電離された原子のイオンの衝突から誘電層が保護できる。このようなＭｇＯ保護膜２９はイオンがぶつかった時二次電子の放出係数も高いために放電効率を高めることができる。
【００３８】
図４は本発明の第１実施例によるプラズマディスプレイパネルと従来の交流型面放電プラズマディスプレイパネルとの放電維持電圧による真空紫外線効率を比較したグラフである。
【００３９】
前記グラフを参照すれば、Ｆｕｌｌ-ＨＤ大きさのプラズマディスプレイパネルで放電維持電圧を変化させながら真空紫外線効率を計算した時、本発明の第１実施例によるプラズマディスプレイパネルの発光効率は従来の面放電３電極構造の発光効率に比べて実際にプラズマディスプレイパネルが駆動される最少放電維持電圧領域で３８％以上向上する。従来の面放電３電極構造で一対の表示電極は前面基板側に配置され相互間面放電を誘導し、アドレス電極は背面基板側に配置され前記表示電極との間で対向放電を誘導する。
【００４０】
以上説明したように本実施例によるプラズマディスプレイパネルによれば、アドレス電極３２を前面基板２０に配置することによって放電セル１８内での放電に関与する電極が全て前面基板２０に位置し、したがって、背面基板１０に形成される隔壁１６によって設定される放電空間がさらに大きく確保できる。これは即ち、蛍光体が塗布された部分の面積が広がることによって発光効率が増加できることを意味する。それだけでなく蛍光体上に電荷が積もりながらイオンスパッタリングなどにより蛍光体の寿命が減少することが防止できる。
【００４１】
また、アドレス放電に関与する走査電極２３とアドレス電極３２とを近くに配置させることによってアドレス電圧を低くすることができ、維持電極２１と走査電極２３との間では対向放電を誘導することによって発光効率に優れたものとして知られているロングギャップ（ｌｏｎｇ  ｇａｐ）放電が可能であるので、従来の面放電構造に比べてさらに高い発光効率が得られる。その上、プラズマディスプレイパネルが高精細化され放電セルの大きさが小さくなることによって従来の面放電構造で引き起こされた主要な問題など、即ち、発光効率及び輝度の減少、放電開始電圧増加などの問題が共に克服できる。
【００４２】
以下、本発明の第２乃至第６実施例によるプラズマディスプレイパネルの電極構造について説明する。各実施例によるプラズマディスプレイパネルは前記第１実施例に説明した本発明の基本的な特徴を全て備えているのでこれに関する詳細な説明は省略する。ただしアドレス電極の突出電極が各々他の形状を有し適用されているのでこれを中心に説明する。
【００４３】
図５は本発明の第２実施例によるプラズマディスプレイパネルの電極構造を概略的に示した部分平面図である。
【００４４】
本実施例でアドレス電極３２２は放電セル１８の一つの側周縁に連なって長く連結されるバス電極３２２ｂとこのバス電極３２２ｂから対向側周縁を向き伸びる突出電極３２２ａとを含む。この時、突出電極３２２ａはパネルの開口率確保のために透明電極、一例としてＩＴＯ（Ｉｎｄｉｕｍ  Ｔｉｎ  Ｏｘｉｄｅ）電極に形成でき、バス電極３２２ｂは前記透明電極の高い抵抗を補償し通電性を良くするために金属電極に形成されることが好ましい。特に本実施例によるプラズマディスプレイパネルで突出電極３２２ａは端部に凹部Ｃ１を有するように形成されるが、図５に示されているように、前記凹部Ｃ１は２つの角部を有するように形成される。
【００４５】
このような凹部Ｃ１が備わることによってパネルの開口率がより向上できる。
【００４６】
図６は本発明の第３実施例によるプラズマディスプレイパネルの電極構造を概略的に示した部分平面図である。
【００４７】
本実施例でアドレス電極３２３は放電セル１８の一つの側周縁に連なって長く連結されるバス電極３２３ｂとこのバス電極３２３ｂから対向側周縁を向き伸びる突出電極３２３ａとを含む。この時、突出電極３２３ａはパネルの開口率確保のために透明電極、一例としてＩＴＯ（Ｉｎｄｉｕｍ  Ｔｉｎ  Ｏｘｉｄｅ）電極に形成でき、バス電極３２３ｂは前記透明電極の高い抵抗を補償し通電性を良くするために金属電極に形成されることが好ましい。特に本実施例によるプラズマディスプレイパネルで突出電極３２３ａは端部に凹部Ｃ２を有するように形成されるが、図６に示されているように、前記凹部Ｃ２は弧状に形成される。
【００４８】
このように弧状の凹部Ｃ２が備わることによってパネルの開口率がより向上できる。
【００４９】
図７は本発明の第４実施例によるプラズマディスプレイパネルの電極構造を概略的に示した部分平面図である。
【００５０】
本実施例でアドレス電極３２４は放電セル１８の一つの側周縁に連なって長く連結されるバス電極３２４ｂとこのバス電極３２４ｂから対向側周縁を向き伸びる突出電極３２４ａとを含む。この時、突出電極３２４ａはパネルの開口率確保のために透明電極、一例としてＩＴＯ（Ｉｎｄｉｕｍ  Ｔｉｎ  Ｏｘｉｄｅ）電極に形成でき、バス電極３２４ｂは前記透明電極の高い抵抗を補償し通電性を良くするために金属電極に形成されることが好ましい。特に本実施例によるプラズマディスプレイパネルで突出電極３２４ａは前記維持電極２１に近い部分の面積よりも前記走査電極２３に近い部分の面積がさらに大きく形成される。
【００５１】
このように形成された突出電極３２４ａが備わることによってアドレス期間でアドレ放電が発生するアドレス電極３２４と走査電極２３との間の放電開始電圧がアドレス電極３２４と維持電極２１との間の放電開始電圧よりも低くなることができる。
【００５２】
図８は本発明の第５実施例によるプラズマディスプレイパネルの電極構造を概略的に示した部分平面図である。
【００５３】
本実施例でアドレス電極３２５は放電セル１８の一つの側周縁に連なって長く連結されるバス電極３２５ｂとこのバス電極３２５ｂから対向側周縁を向き伸びる突出電極３２５ａとを含む。この時、突出電極３２５ａはパネルの開口率確保のために透明電極、一例としてＩＴＯ（Ｉｎｄｉｕｍ  Ｔｉｎ  Ｏｘｉｄｅ）電極に形成でき、バス電極３２５ｂは前記透明電極の高い抵抗を補償し通電性を良くするために金属電極に形成されることが好ましい。特に本実施例によるプラズマディスプレイパネルで突出電極３２５ａは前記維持電極２１に近い側から前記走査電極２３に近い側に進行することによって漸進的に面積が広がる。
【００５４】
このように形成される突出電極３２５ａが備わることによってアドレス期間でアドレ放電が発生するアドレス電極３２５と走査電極２３との間の放電開始電圧がアドレス電極３２５と維持電極２１との間の放電開始電圧よりも低くなることができる。
【００５５】
図９は本発明の第６実施例によるプラズマディスプレイパネルの電極構造を概略的に示した部分平面図である。
【００５６】
本実施例でアドレス電極３２６は放電セル１８の一つの側周縁に連なって長く連結されるバス電極３２６ｂとこのバス電極３２６ｂから対向側周縁を向き伸びる突出電極３２６ａとを含む。この時、突出電極３２６ａはパネルの開口率確保のために透明電極、一例としてＩＴＯ（Ｉｎｄｉｕｍ  Ｔｉｎ  Ｏｘｉｄｅ）電極に形成でき、バス電極３２６ｂは前記透明電極の高い抵抗を補償し通電性を良くするために金属電極に形成されることが好ましい。特に本実施例によるプラズマディスプレイパネルで突出電極３２６ａは長方形状の平面形状を有するが、このような突出電極３２６ａが前記維持電極２１側よりも前記走査電極２３側に偏って配置される。
【００５７】
このように形成される突出電極３２６ａが備わることによってアドレス期間でアドレ放電が発生するアドレス電極３２６と走査電極２３との間の放電開始電圧がアドレス電極３２６と維持電極２１との間の放電開始電圧よりも低くなることができる。
【００５８】
以上、本発明の好ましい実施例について説明したが、本発明はこれに限定されず、特許請求の範囲と発明の詳細な説明及び添付した図面の範囲内で多様に変形、又は変更し実施することが可能であり、これも本発明の範囲に属する。
【図面の簡単な説明】
【００５９】
【図１】本発明の第１実施例によるプラズマディスプレイパネルを示した部分分解斜視図である。
【図２】本発明の第１実施例によるプラズマディスプレイパネルで電極及び放電セルの構造を概略的に示した部分平面図である。
【図３】図１に分解して示したプラズマディスプレイパネルを組立て結合しＡ-Ａ線に沿って切断した部分分解断面図である。
【図４】本発明の第１実施例によるプラズマディスプレイパネルと従来の面放電３電極構造の放電維持電圧による真空紫外線効率を比較したグラフである。
【図５】本発明の第２実施例によるプラズマディスプレイパネルの電極構造を概略的に示した部分平面図である。
【図６】本発明の第３実施例によるプラズマディスプレイパネルの電極構造を概略的に示した部分平面図である。
【図７】本発明の第４実施例によるプラズマディスプレイパネルの電極構造を概略的に示した部分平面図である。
【図８】本発明の第５実施例によるプラズマディスプレイパネルの電極構造を概略的に示した部分平面図である。
【図９】本発明の第６実施例によるプラズマディスプレイパネルの電極構造を概略的に示した部分平面図である。
【図１０】従来の交流型面放電プラズマディスプレイパネルを示した部分分解斜視図である。
【符号の説明】
【００６０】
１０  第１基板
１４、２８、１２０、１２１  誘電層
１６、１１７  隔壁
１６ａ  第１隔壁部材
１６ｂ  第２隔壁部材
１８、１１９  放電セル
１９、１１８  蛍光体層
２０  第２基板
２１  第１電極（維持電極）
２３  第２電極（走査電極）
２５  表示電極
２８ａ  第１誘電層
２８ｂ  第２誘電層
２９、１２３  ＭｇＯ保護膜
３２、３２２、３２３、３２４、３２５、３２６、１１５  アドレス電極
３２ａ、３２２ａ、３２３ａ、３２４ａ、３２５ａ、３２６ａ  突出電極
３２ｂ、１１３ｂ、１１４ｂ、３２２ｂ、３２３ｂ、３２４ｂ、３２５ｂ、３２６ｂ  バス電極
１１１  前面基板
１１２  背面基板
１１３ａ、１１４ａ  透明電極
Ｃ１、Ｃ２  凹部
ｗ１  ｙ軸方向への長さ
ｗ２  ｚ軸方向への長さ
ｄ１、ｄ２  第２誘電層の厚さ
【図１】
2005347250.tif 000003
【図２】
2005347250.tif 000004
【図３】
2005347250.tif 000005
【図４】
2005347250.tif 000006
【図５】
2005347250.tif 000007
【図６】
2005347250.tif 000008
【図７】
2005347250.tif 000009
【図８】
2005347250.tif 000010
【図９】
2005347250.tif 000011
【図１０】
2005347250.tif 000012